(57)【特許請求の範囲】
【請求項１】
複数の画像データを１枚の用紙上に集約して記録する集約モードを有する画像形成装置において、
画像データの全体数が用紙１枚分に集約される画像データの割り付け個数によって割り切れず、用紙上に画像の分配されていない空白部が出ると判断する空白部判断手段と、
空白部が出ないように割り付けパターンを演算する演算手段と、
前記空白部判断手段によって空白が出ると判断されたとき前記演算手段によって演算された割り付けパターンを表示可能にする表示手段と、
前記表示手段によって表示された割り付けパターンから選択されたパターンに従って所定ページの用紙に集約される画像データの割り付け個数を変更する変更手段と、
を有することを特徴とする画像形成装置。
【請求項２】
前記所定ページが最終ページであることを特徴とする請求項１に記載の画像形成装置。
【請求項３】
前記所定ページが１ページ目であることを特徴とする請求項１に記載の画像形成装置。
【請求項４】
変更後の前記集約モードにおける用紙１枚分の画像データの割り付け個数は、変更前の前記集約モードにおける用紙１枚分の画像データの割り付け個数よりも少ないことを特徴とする、請求項１から請求項３に記載の画像形成装置。
【請求項５】
画像読込手段によって読み込まれた複数の画像データを、画像メモリ中に１ページ分の画像データとしてデータ保存する集約画像メモリ工程を有する画像処理装置において、
画像データの全体数が用紙１枚分に集約される画像データの割り付け個数によって割り切れず、用紙上に画像の分配されていない空白部が出ると判断する空白部判断手段と、
空白部が出ないように割り付けパターンを演算する演算手段と、
前記空白部判断手段によって空白が出ると判断されたとき前記演算手段によって演算された割り付けパターンを表示可能にする表示手段と、
前記表示手段によって表示された割り付けパターンから選択されたパターンに従って所定ページの用紙に集約される画像データの割り付け個数を変更する制御手段と、
を有することを特徴とする画像処理装置。
【請求項６】
画像読込手段によって読み込まれた複数の画像データを、画像メモリ中に１ページ分の画像データとしてデータ保存する集約画像メモリ工程を有する画像形成装置において、
画像データの全体数が用紙１枚分に集約される画像データの割り付け個数によって割り切れず、用紙上に画像の分配されていない空白部が出ると判断する空白部判断手段と、
空白部が出ないように割り付けパターンを演算する演算手段と、
前記空白部判断手段によって空白が出ると判断されたとき前記演算手段によって演算された割り付けパターンを表示可能にする表示手段と、
前記表示手段によって表示された割り付けパターンから選択されたパターンに従って所定ページの用紙に集約される画像データの割り付け個数を変更する制御手段と、
を有することを特徴とする画像形成装置。
【発明の詳細な説明】
【０００１】
【発明の属する技術分野】
本発明は、複数枚の画像データを一枚の用紙上に集約して記録する集約機能を備えた画像形成装置に関する。
【０００２】
【従来の技術】
デジタル複写機においては、特開昭６１−２６５９６４号公報において読み取り画像をメモリーに格納し所定枚数の原稿画像を１枚の用紙上に一括して記録するいわゆる集約モード機能を有する画像形成装置が示されている。このような機能は、用紙資源の節約の面から好ましい機能であり、特にプレゼンテーション資料を会議資料として配布する場合に有用である。この画像形成装置においては１枚の用紙に集約される原稿の枚数を例えば４枚、８枚のように設定した後、設定枚数分の全ての原稿を読み込んだ時点で画像形成が開始される。しかしながら実際に読み込む原稿の数が設定枚数よりも少ない場合さらに白紙原稿を読み込む余分な作業をする必要があり、問題であった。これを改良する手段として特開平７−２３２１１号公報には１枚当たりの集約枚数をユーザーが設定可能とし、読み込み原稿数と、設定数が一致した時点で画像形成が開始される旨記載されている。
【０００３】
ところが、原稿全体の枚数が集約モードで設定した用紙シート１枚当たりの原稿画像数で割り切れない場合、最終用紙に原稿画像の載っていない余白部分が発生して、紙資源の有効利用の面から無駄であるし不快感を覚えることもある。
【０００４】
【発明が解決しようとする課題】
本発明の第１の目的は、上記問題に鑑みて、複数枚の原稿を縮小、分配して原稿枚数より少枚数の用紙上に集約コピーを行なう集約モードにおいて、最終頁に空白を発生させず好印象を与えることである。
【０００５】
【課題を解決するための手段】
上記目的を達成するために、請求項１の発明では  複数の画像データを１枚の用紙上に集約して記録する集約モードを有する画像形成装置において、画像データの全体数が用紙１枚分に集約される画像データの割り付け個数によって割り切れず、用紙上に画像の分配されていない空白部が出ると判断する空白部判断手段と、空白部が出ないように割り付けパターンを演算する演算手段と、前記空白部判断手段によって空白が出ると判断されたとき前記演算手段によって演算された割り付けパターンを表示可能にする表示手段と、前記表示手段によって表示された割り付けパターンから選択されたパターンに従って所定ページの用紙に集約される画像データの割り付け個数を変更する変更手段と、を有することを特徴とする。
請求項１の発明によれば、集約処理時の空白部が少なくなるように用紙束全体の内の何れかのページの集約モードを変更することが可能となるので、空白部が最終ページに生ずることの違和感を防止することが可能となる。
【０００６】
さらに請求項２の発明は、請求項１に記載の画像形成装置において前記所定ページが最終ページであることを特徴とする。
請求項２の発明によれば、集約処理時の空白部が少なくなるように用紙束全体の内の最終ページの用紙の集約モードを変更することが可能となるので、空白部が最終頁に生ずることの違和感を防止することが可能となる。
【０００７】
さらに請求項３の発明は、請求項１に記載の画像形成装置において前記所定ページが１ページ目であることを特徴とする。
請求項３の発明によれば、集約処理時の空白部が少なくなるように用紙束全体の内の１ページ目の用紙の集約モードを変更するので空白部が最終頁に生ずることの違和感を防止することが可能となる。
【０００８】
さらに請求項４の発明は、変更後の前記集約モードにおける用紙１枚分の画像データの割り付け個数は、変更前の前記集約モードにおける用紙１枚分の画像データの割り付け個数よりも少ないことを特徴とする請求項１から請求項３に記載の画像形成装置である。
請求項４の発明によれば、変更後の画像縮小倍率が変更前の画像縮小倍率よりも常に大きいので、画像が変更前より小さくなることによる判読のしづらさが回避され好ましい。
【０００９】
さらに請求項５の発明は、画像読込手段によって読み込まれた複数の画像データを、画像メモリ中に１ページ分の画像データとしてデータ保存する集約画像メモリ工程を有する画像処理装置において、画像データの全体数が用紙１枚分に集約される画像データの割り付け個数によって割り切れず、用紙上に画像の分配されていない空白部が出ると判断する空白部判断手段と、空白部が出ないように割り付けパターンを演算する演算手段と、前記空白部判断手段によって空白が出ると判断されたとき前記演算手段によって演算された割り付けパターンを表示可能にする表示手段と、前記表示手段によって表示された割り付けパターンから選択されたパターンに従って所定ページの用紙に集約される画像データの割り付け個数を変更する制御手段と、を有することを特徴とする。
請求項５の発明によれば、スキャナーや画像ファイル記録装置から読み込まれた複数の画像を集約画像データとして、ネットワーク上でつながったプリンター、ファクシミリ、複写機などからプリント出力するときに、空白部が少なくなるように画像メモリ内の複数ページの何れかのページの集約モードを変更することが可能となるので、空白部を残したままプリント出力されることによる違和感を防止することが可能となる。
【００１０】
さらに請求項６の発明は、画像読込手段によって読み込まれた複数の画像データを、画像メモリ中に１ページ分の画像データとしてデータ保存する集約画像メモリ工程を有する画像形成装置において、画像データの全体数が用紙１枚分に集約される画像データの割り付け個数によって割り切れず、用紙上に画像の分配されていない空白部が出ると判断する空白部判断手段と、空白部が出ないように割り付けパターンを演算する演算手段と、前記空白部判断手段によって空白が出ると判断されたとき前記演算手段によって演算された割り付けパターンを表示可能にする表示手段と、前記表示手段によって表示された割り付けパターンから選択されたパターンに従って所定ページの用紙に集約される画像データの割り付け個数を変更する制御手段と、を有することを特徴とする。
請求項６の発明によれば、スキャナーや画像ファイル記録装置から読み込まれた複数の画像を集約画像データとしてプリント出力するときに、空白部が少なくなるように画像メモリ内の複数ページの何れかのページの集約モードを変更することが可能となるので、空白部を残したままプリント出力されることによる違和感を防止することが可能となる。
【００１１】
【発明の実施の形態】
以下、本発明に従って構成された装置本体の好適実施形態を添付図面を参照して更に説明する。図１はこの発明の第一の実施形態にかかる複写機１００の外観構成を示す斜視図である。図２は複写機１００の内部構成を示す正面図である。図３は複写機１００の右側面を模式的に描いたもので後述する原稿搬送部１４の内、原稿カバー部以外を除いている。複写機１００は本体ハウジング１１とその上方の上ハウジング１１Ｕと、上ハウジングの上部に開平自在に載置された原稿搬送部１４で区画されている。本体ハウジング１１と上ハウジング１１Ｕの中間部には右側側面から略水平方向に内側に入り込んだシート材スタック空間部１２が形成されている。シート材スタック空間部１２には本体ハウジングから横方向に排出されるシート材を受け取り、積載する為の上シートトレイ１、下シートトレイ２が設けられている。
【００１２】
上ハウジング１１Ｕは画像読取り位置において原稿を露光して画像を読取るための露光部１５を内蔵しておりその上面には走査パネル１３や透明なガラス板からなる原稿載置板２１が配設されている。上ハウジング１１Ｕの上方には原稿画像を読み取るために原稿を画像読取り位置Ｒに搬送するための原稿搬送部１４が載置されている。原稿搬送部１４は図３に示すように機械奥側のヒンジ部９によって上ハウジング上に開平自在に支持されている。実線で示す閉位置において通常載置されており、破線で示す開位置まで開放することが可能である。複写機１００はシートスルー方式と原稿固定方式の２方式の原稿画像読取りを行なうことが可能である。まずシートスルー方式は閉状態の原稿搬送部１４によって画像読取り位置Ｒを通過している原稿を、画像読取り位置に対向して固定配置された露光部１５で画像読取りする方式である。さらに原稿固定型方式は、原稿搬送部１４を開状態とし、原稿載置板２１上面に原稿を載置し、露光部１５を移動させつつ画像読取りする方式である。本実施形態は、シートスルー方式に基づいた実施例として説明を行なう。
【００１３】
本体ハウジング１１は、下ハウジング１１Ｄとその上方の連結ハウジング１１Ｃに区画できる。下ハウジング１１Ｄは用紙の給紙部と、用紙上にトナー画像を形成する画像形成部と、用紙上のトナー画像を定着するための定着部を内蔵している。連結ハウジング１１Ｃは定着後の用紙を搬送してシート材スタック空間のシートトレイに向けて排出するための用紙搬送路を内蔵している。
【００１４】
上ハウジング１１Ｕの構成を図１、図２を元に説明する。
上ハウジング１１Ｕの手前側には操作パネル１３が備えられている。原稿搬送部１４は原稿給紙トレイ１４ａと原稿搬送部本体１４ｂと原稿排紙トレイ１４ｃと原稿カバー１４ｄを備えている。原稿排紙トレイ１４ｃは原稿カバー１４ｄ上面の一部に直付けで形成している。原稿搬送路Ｄの延長上の上流端に原稿給紙トレイ１４ａが配設され、原稿搬送路Ｄの延長上の下流端には原稿排出トレイ１４ｃが配設されている。原稿読取り部本体１４ｂには原稿搬送路Ｄに沿って原稿搬送方向の上流側から下流側にかけてピックアップローラ２２、搬送ローラ対２３とレジストローラ対２４、排出ローラ対２５が設けられている。搬送ローラ対２３は駆動ローラ２３ａと分離ローラ２３ｂから構成されている。分離ローラ２３ｂは回転負荷が所定トルクを下回る場合のみ駆動ローラ２３ａと逆方向に回転し、回転負荷が所定トルクを上回る場合には駆動ローラ２３ａと従動回転するようになっている。
【００１５】
レジストローラ対２４と排出ローラ対２５の間には画像読取り部Ｒが設けられている。画像読取り位置Ｒには原稿載置板２１への対向する向きにシェーディング補正用の白基準板２６と、白基準板２６の上方にあって白基準板２６を原稿載置板２１に押圧するための原稿押圧部２６ａとが設けられている。原稿搬送路Ｄは搬送ローラ対２３から画像読取り位置Ｒに至る間において反転するように湾曲している。
【００１６】
原稿搬送路Ｄの上流側から下流側に向けて各センサが設けられている。つまり、原稿給紙トレイ１４ａ中央部に原稿検知センサＳ１が設けられ、搬送ローラ対２３の下流側に給紙センサＳ２が設けられ、排出ローラ対２５の下流側に排出センサＳ３が設けらている。
【００１７】
原稿搬送部で原稿を搬送移動させつつ固定した露光ランプで原稿露光させるいわゆるシートスルー原稿読取り方式に基づいて以下の説明を進める。原稿給送トレイ１４ａに画像面を上向きにセットされたＭ枚の原稿は、ばね部材６ａによって上向きに付勢されたセット原稿押さえ部材６ｂによって所定の圧力でピックアップローラ２２に押しつけられる。操作パネル１３のコピー開始ボタンがオンされると図示しない１次給紙駆動手段によりピックアップローラ２２と搬送ローラ２３が回転駆動される。原稿給紙トレイ１４ａにセットされた原稿はピックアップローラ２２によって上面側から通常複数枚が搬送ローラ対２３に送られる。搬送ローラ対２３に送られた複数枚の原稿は分離ローラ２３ｂにより最上部の１枚のみが分離されてレジストローラ対２４に向けて搬送される。原稿先端が給紙センサＳ２によって検出されてから所定の距離だけ搬送された後、給紙駆動手段の作動停止により搬送ローラ対２３の駆動ローラ２３ａとピックアップローラ２２の回転駆動が停止され一次給紙が終了する。原稿はその先端がレジストローラ対２４のニップ部に押圧されかつその先端にたわみが形成された状態で停止させられる。
【００１８】
一次給紙が終了してから所定時間経過後、２次給紙が開始される。つまり図示しない２次給紙駆動手段の作動によりレジストローラ対２４が回転駆動される。原稿はレジストローラ対２４により画像読取り位置Ｒ及び排出ローラ対２５に向けて搬送させられた後、最終的には排出ローラ対２５によって原稿排出トレイ１４ｃ上に排出される。排出ローラ対の下流側に設けられた排紙センサＳ３により原稿の後端通過を検知したことによって原稿１枚の画像読取りの完了を検出するようになっている。排紙センサＳ３は原稿の給紙搬送完了毎に原稿枚数を計数するカウント機能を有しており、原稿セット検知センサＳ１が後続の原稿を検知していれば、２枚目以降の原稿搬送が続行される。原稿は画像読取り位置Ｒを通過する際に白基準板２６と原稿押圧部２６ａによって原稿載置板２１の表面を軽く押圧されながら搬送され、原稿画像面が原稿載置板を挟んで対抗する露光ランプ２７によって光走査されるようになっている。
【００１９】
次に、露光部１５について説明する。図２において、露光ランプ２７及び反射板２８と第１ミラー２９と第２ミラー３０と第３ミラー３１と集光レンズ３２とイメージセンサ、例えばライン型のＣＣＤ３３を備えている。露光ランプ２７と第１ミラー２９は第一キャリッジ（図示せず）上に搭載され、第２ミラー３０、第３ミラー３１は第二キャリッジ（図示せず）上に搭載されている。原稿読み取り時には、第一キャリッジが前記画像読み取り位置Ｒの直下に移動し、露光ランプ２７からの光照射光が原稿を露光する。照射光は第１ミラー２９、第２ミラー３０、第３ミラー３１、集光レンズ３２を通じてＣＣＤ３３に到達する。
ここに、原稿載置板２１上の原稿画像は露光部１５による読取走査を受けることにより、ＣＣＤ３３上に縮小結像され、光電変換処理を経て電気信号となるように読み取られる。
【００２０】
次に、本体ハウジング１１を形成する下ハウジング１１Ｄと連結ハウジング１１Ｃの内、下ハウジングの構造について説明する。下ハウジング１１Ｄの下方の給紙部にはシートカセット３４と、画像形成部３６と、定着装置３７とが内蔵されている。シートカセット３４に収容されたシート材Ｐは繰り出しコロ３４ａにより１枚ずつ送り出される。下ハウジング１１Ｄの左側下方部には開閉可能な手差し給紙トレイ３５が備えられていて、この手差し給紙トレイ３５にセットされたシート材Ｐも繰り出しコロ３５ａにより１枚ずつ送り出される。
【００２１】
次に画像形成部について説明する。画像形成部３６において、感光体ドラム３８は負帯電性の有機感光体ドラムであって、駆動時には図示した方向に１００ｍｍ／秒の速度で回転する。感光体ドラム３８の表面は−５ＫＶの高電圧が印可されたメインチャージャー３９から発生したコロナ放電によって−７５０Ｖに一様帯電した後、レーザースキャニングユニット４０からのビーム光の照射によって明電位−１００Ｖと暗電位−７５０Ｖの部分からなる静電潜像が形成される。更に感光体の回転によって静電潜像は現像位置にまで回転移動する。現像装置４１内部の現像ローラ４１ａは駆動時には現像領域において感光体ドラムと同一方向に２１０ｍｍ／秒の速度で回転している。現像部４１内は、例えば体積平均粒径９μｍ（コールターカウンターによるメジアン径）の負帯電性トナー５重量部と、平均径８０μｍ（篩い分け法）の磁性フェライトキャリア９５重量部を混合して得られる現像剤を有しており、現像ローラー４１ａに現像バイアス電圧−５５０Ｖを印可することによって、感光体表面の露光部分にトナーが反転現像され静電潜像がトナー画像化される。
【００２２】
シートカセット３４或いは手差し給紙トレイ３５から１枚ずつ繰り出され搬送路３を通じて上方に搬送されてきた用紙は、感光体上のトナー画像がローラ転写部４２に接近するのに同期して、レジストローラ４で搬送タイミングが調整され、感光体ドラム３８と転写ローラ４２との間を搬送される。これによって、用紙先端とトナー画像部先端が一致してローラ転写部を通過することによってトナー画像中のトナーの大部分が用紙上に転移する。用紙上に転移せず感光体ドラム表面に残留した一部トナーは、最下流に設けられたクリーナ４１によって除去される。トナー像が転写された用紙は定着装置３７へ送られる。定着装置３７は熱ローラ３８ａ及び加圧ローラ３８ｂを有し、これらローラ対によってトナー像を用紙上に定着してコピー物が得られる。
【００２３】
定着ニップを通過した用紙はそのまま垂直方向の垂直搬送路４２に沿って上方に搬送される。垂直搬送路４２は連結ハウジング１１Ｃに入り搬送ローラ対４３を通過すると、右方向の水平搬送路４４と斜め上方の搬送路４５に分岐しており、その分岐箇所において用紙の搬送方向を振り分ける分岐爪４６が設けられている。２図においては用紙は水平搬送路４４へと進行方向を振り分けられ、下シートトレイ２上へと排出される。
【００２４】
本体の手前に設けられた操作パネル１３には複写機全体の動作設定を行い、設定内容や動作状況を表示する液晶タッチパネルが設けられている。図４に示す液晶タッチパネルのキー選択エリア６１には、  “基本”選択キー６２、“変倍”選択キー６３、“機能”選択キー６４の選択キーが設けらている。この場合においては“基本”選択キーが黒地の白抜け文字で表示されており画像形成装置が所定の定着温度に達しプリント可能な通常の待機状態であることを表している。機能選択キー６４を押すことによって、図５に示すように基本選択キー６２が白抜け文字から通常の黒文字になり、機能選択キー６４が通常の黒文字から白抜け文字へと変換され、白黒反転、鏡像、分割、マージン、枠消し、集約の各機能が選択可能に表示される。集約モードの選択と、集約モードの詳細を指定しなければならない場合、該当するキー機能表示部分を押下することにより、後述するような詳細機能の設定画面が表示される
その他、原稿濃度調整部６５によって原稿濃度を明るめ（薄く）に調整し、用紙サイズ選択ボタン７１によってＡ４サイズの用紙を選択している。枚数設定ボタン７０によってプリント枚数、プリント部数を設定する。設定内容はメッセージ表示部６４に表示される。プリントボタン６８によってプリントジョブが開始される。プリント枚数、プリント部数を設定した後にもストップ／クリアボタン６９によって枚数を変更できる。
【００２５】
図２４は複写機１００の制御を示すブロック図である。
主制御部７１ａは、装置全体を制御し、操作表示部７２で設定入力した画像作成条件に応じて各部を動作させて、画像送受信機能、コピー機能などを実現する。特にコピー機能において、読取部７３で読み取った複数の原稿の画像を１枚の被記録媒体に記録するＮｉｎ１の機能を有している。
【００２６】
操作表示部７２は、利用者に対するメッセージや、装置の状態を示すメッセージ、操作ガイダンスなど、種々の情報を表示することができる。さらに、利用者が各種の設定や指示などを行う際に用いられる。例えば、送信機能あるいはコピー機能の選択を行う選択キーや、選択した機能の実行指示などを行うスタートキー等が設けられている。さらに、コピー機能時にＮｉｎ１の機能の利用を指定することができる。Ｎの値については、例えば２や４に固定されていたり、固定値から選択したり、あるいは任意の値を例えばテンキーなどから選択することができるように構成することができる。もちろん、画像を記録すべき被記録媒体のサイズ（大きさおよび向き）についても選択することができる。
【００２７】
読取部７３は送信あるいはコピーすべき原稿上の画像を読み取る。
ＣＣＤ、Ａ／Ｄコンバータ、シェーディング補正回路、ＭＴＦ＆γ補正回路、セレクタ、変倍回路が順に接続されている。これにより、ＣＣＤにより光電変換されて読み取られた原稿画像の情報は、Ａ／Ｄコンバータによりデジタル信号に変換され、シェーディング補正回路でシェーディング補正、ＭＴＦ＆γ補正回路でＭＴＦ補正及びγ補正を受けてセレクタに入力される。このセレクタは画像データの送り先を、変倍回路と画像メモリコントローラとで切り替えるものである。セレクタにより変倍回路側が選択された場合には、画像データは変倍回路で変倍率に合わせて拡大・縮小処理を受けた後、書込み部７４に送出され、露光装置によって感光体に対する実際の書き込みが行なわれる。
【００２８】
セレクタにより画像メモリコントローラ７５ａ側が選択された場合、画像データはこの画像メモリコントローラ７５ａ中の画像圧縮回路によって圧縮された後、画像メモリ７５ｂに書き込まれる。複数の原稿画像を画像メモリ７５ｂ中の転写紙一面分のエリアを分割した分割エリアに順次読み込ませた状態で書込部７４に送出され、露光装置によって感光体に対する実際の書き込みが行なわれ画像集約コピーが行われる。
【００２９】
ＮＣＵ７６ａは、回線を制御して外部機器との通信を行う。また、モデム７６ｂは、受信した画像データなどを蓄積する。
ＲＡＭ７７は、主制御部７１や他の各部の処理においてデータの保存が必要なときに用いられる。ＲＯＭ７８は、主制御部１１の動作を規定したプログラムや、固定的なデータなどが格納されている。バス７９は、主制御部７１、操作表示部７２、読取部７３、記録部７４、画像メモリコントローラ７５ａ、画像メモリ７５ｂ、ＮＣＵ７６、モデム７７、ＲＡＭ７８、ＲＯＭ７９等を相互に接続しており、これらの間のデータ転送を可能にしている。
【００３０】
次に、図４〜図２０に示す操作パネルの各種画面を及び、図２１〜図２３に示すフローチャートを参照して、本実施の形態における各種モードの処理手順等を順に説明する。
図２１に示すフローチャート１において、第一の集約モードの設定に対して最終頁に余白が出た場合に、中間頁において第二の集約モードに変更して最終頁の余白を解消する場合を詳述する。
Ｓ１０１において第１の集約モード（Ｍ１ｉｎ１）が選択され用紙１枚当りの集約枚数Ｍ１が設定される。第一の集約モード（Ｍ１ｉｎ１）を選択し、プリントボタンをＯＮする。そして、Ｓ１０２へと進み複写機の原稿自動読取部から原稿が１枚ずつ読取部に給送し画像が読み取られるとともに枚数がカウントされ、全ページ読み取られた時点で原稿の全ページ数Ｎが検出される。Ｓ１０３においてＮ／Ｍ１の値が検出され、ＮがＭ１で割り切れるかどうかが照合される。Ｎ／Ｍ１の値が整数つまりＮがＭ１で割り切れるならば、Ｓ１０７へと進み第一の集約モード（Ｍ１ｉｎ１）でそのまま最終ページまでコピーが進行しその時点で複写が終了する。Ｎ／Ｍ１の値が整数でないつまりＮがＭ１で割り切れないならば、Ｓ１０４において所定頁に至る前までは第一の集約モード（Ｍ１ｉｎ１）でコピーを実行してから、Ｓ１０５において所定頁を第二の集約モード（Ｍ２ｉｎ１）で一旦コピーしてからＳ１０６で再び第一の集約モード（Ｍ１ｉｎ１）でコピーが行なわれそのまま最終ページまでコピーが進行しその時点で複写が終了する。
【００３１】
次にフローチャート１に対応した操作表示内容を順をおって詳述する。本実施形態は用紙及び原稿が各々Ａ４サイズであって原稿が片面であり全１４頁である。最初に、複写機の通常の待機状態の操作表示部を図４に示す。  “機能”を選択（押す）と図５に示すように“機能”が黒文字から白ぬけ文字に反転し、“白黒反転”“鏡像”“分割”“マージン”“枠消し”“集約”の各機能が表示される。“集約”選択部を押すと図６に示すように５通りの“集約モード”選択部が表示される。図６で４ｉｎ１モードを選択すると図７に示すように分割画像の境界表示形態を問う表示がなされる。“縁無し”  “点線”  “実線”“トンボ”の４通りが選択できるようになっている。何れかの境界表示形態を選択した後、図８において原稿の表示形態に合わせて、両面原稿と片面原稿の何れかを選択する。“片面原稿”を選択すると図９が表示され両面コピー、片面コピー、原稿の向き等を組み合わせた４通りの内から１つを選択する。図１０の表示に切り替わり４ｉｎ１モードでプリントボタンを押す旨を促す表示がなされる。プリントボタンを押すと図１１に切り替わり原稿を搬送し画像を読込開始したことが表示される。読込が進むと共に枚数表示が繰り上がり１４頁全てが読み込まれると図１２の表示となる。用紙４枚中に集約画像枠が４×４＝１６設定できるのに原稿が１４枚しかないので図１３において４頁目の最終に２画像分の空白が生ずる旨を警告表示し、集約モードを変更するか否かを使用者に問う表示がなされる。“変更する”を選択すると反転白抜け表示に切り替わった後、図１４において初期設定、変更１、変更２、変更３の各コースが表示される。各コースは選択可能であり、表中の“変更１”“変更２”“変更３”の何れかを押すことによって、選択された設定条件が白黒反転して表示される。“変更１”は１頁目を４ｉｎ１から２ｉｎ１に変更することによって、４頁目の余白をなくすことができる。“変更２”は中間頁つまり２、３頁の何れかを４ｉｎ１から２ｉｎ１に変更することによって、４頁目の余白をなくすことができる。“変更３”は最終の４頁目を４ｉｎ１から２ｉｎ１に変更することによって、４頁目の余白をなくすことができる。フローチャート１においては“変更２”を選択するので“変更２”の集約モードが反転白抜け表示に切り替わる。図１５において中間頁が２、３頁の複数あることが表示されいずれの頁を変更するのか問う。頁数入力キーにより２を入力する。図１６においてプリントボタンを押すことによって、集約モードの変更内容にしたがって、１頁が４ｉｎ１、２頁が２ｉｎ１、３〜４頁が４ｉｎ１の集約モードで実際のコピーが開始される。
【００３２】
次に、図２２で示すフローチャート２において、第一の集約モードの設定に対して最終頁に余白が出た場合に、最終頁において第二の集約モードに変更して最終頁の余白を解消する場合を詳述する。Ｓ１１１において第１の集約モード（Ｍ１ｉｎ１）が選択され用紙１枚当りの集約枚数Ｍ１が設定される。第一の集約モード（Ｍ１ｉｎ１）を選択し、プリントボタンをＯＮする。そして、Ｓ１１２へと進み複写機の原稿自動読取部から原稿が１枚ずつ読取部に給送し画像が読み取られるとともに枚数がカウントされ、全ページ読み取られた時点で原稿の全ページ数Ｎが検出される。Ｓ１１３においてＮ／Ｍ１の値が検出され、ＮがＭ１で割り切れるかどうかが照合される。Ｎ／Ｍ１の値が整数つまりＮがＭ１で割り切れるならば、Ｓ１１６へと進み第一の集約モード（Ｍ１ｉｎ１）でそのまま最終ページまでコピーが進行しその時点で複写が終了する。Ｎ／Ｍ１の値が整数でないつまりＮがＭ１で割り切れないならば、Ｓ１１４において最終頁の前頁に至るまでは第一の集約モード（Ｍ１ｉｎ１）でコピーを実行してから、Ｓ１１５において最終頁を第二の集約モード（Ｍ２ｉｎ１）でコピーしてから複写が終了する。
【００３３】
次に図２２に示すフローチャート２に対応した操作表示内容を順をおって詳述する。
本実施形態は用紙及び原稿が各々Ａ４サイズであって原稿が片面であり全１４頁である。最初に、複写機の通常の待機状態の操作表示部を図４に示す。  “機能”を選択（押す）と図５に示すように“機能”が黒文字から白ぬけ文字に反転し、“白黒反転”“鏡像”“分割”“マージン”“枠消し”“集約”の各機能が表示される。“集約”選択部を押すと図６に示すように５通りの“集約モード”選択部が表示される。図６で４ｉｎ１モードを選択すると図７に示すように分割画像の境界表示形態を問う表示がなされる。“縁無し”  “点線”  “実線”“トンボ”の４通りが選択できるようになっている。何れかの境界表示形態を選択した後、図８において原稿の表示形態に合わせて、両面原稿と片面原稿の何れかを選択する。“片面原稿”を選択すると図９が表示され両面コピー、片面コピー、原稿の向き等を組み合わせた４通りの内から１つを選択する。図１０の表示に切り替わり４ｉｎ１モードでプリントボタンを押す旨を促す表示がなされる。プリントボタンを押すと図１１に切り替わり原稿を搬送し画像を読込開始したことが表示される。読込が進むと共に枚数表示が繰り上がり１４頁全てが読み込まれると図１２の表示となる。用紙４枚中に集約画像枠が４×４＝１６設定できるのに原稿が１４枚しかないので図１３において４枚目の最終に２画像分の空白が生ずる旨を警告表示し、集約モードを変更するか否かを使用者に問う表示がなされる。“変更する”を選択すると反転白抜け表示に切り替わった後、図１７において初期設定、変更１、変更２、変更３の各コースが表示される。各コースは選択可能であり、表中の“変更１”“変更２”“変更３”の何れかを押すことによって、選択された設定条件が白黒反転して表示される。“変更１”は１頁目を４ｉｎ１から２ｉｎ１に変更することによって、４頁目の余白をなくすことができる。“変更２”は中間頁つまり２、３頁の何れかを４ｉｎ１から２ｉｎ１に変更することによって、４頁目の余白をなくすことができる。“変更３”は最終の４頁目を４ｉｎ１から２ｉｎ１に変更することによって、４頁目の余白をなくすことができる。フローチャート２においては“変更３”を選択するので“変更３”の集約モードが反転白抜け表示に切り替わる。図１８において４頁目を２ｉｎ１に変更した旨を確認して、プリントボタンを押すことによって、１頁〜３頁が４ｉｎ１、４頁が２ｉｎ１の集約モードで実際のコピーが開始される。
【００３４】
次に、図２３に示すフローチャート３において、第一の集約モードの設定に対して最終用紙に余白が出た場合に、最初の用紙において第二の集約モードに変更して最終用紙の余白を解消する場合を詳述する。
Ｓ１２１において第１の集約モード（Ｍ１ｉｎ１）が選択され用紙１枚当りの集約枚数Ｍ１が設定される。第１の集約モード（Ｍ１ｉｎ１）を選択し、プリントボタンをＯＮする。そして、Ｓ１２２へと進み複写機の原稿自動読取部から原稿が１枚ずつ読取部に給送し画像が読み取られるとともに枚数がカウントされ、全ページ読み取られた時点で原稿の全ページ数Ｎが検出される。Ｓ１２３においてＮ／Ｍ１の値が検出され、ＮがＭ１で割り切れるかどうかが照合される。Ｎ／Ｍ１の値が整数つまりＮがＭ１で割り切れるならば、Ｓ１２６へと進み第一の集約モード（Ｍ１ｉｎ１）でそのまま最終ページまでコピーが進行しその時点で複写が終了する。Ｎ／Ｍ１の値が整数でないつまりＮがＭ１で割り切れないならば、Ｓ１２４において１枚目の用紙において第２の集約モード（Ｍ２ｉｎ１）でコピーして、２枚目以降から最終枚の用紙までは第１の集約モード（Ｍ１ｉｎ１）でコピーを実行してから複写が終了する。
【００３５】
次にフローチャート３に対応した操作表示内容を順をおって詳述する
本実施形態は用紙及び原稿が各々Ａ４サイズであって原稿が片面であり全１４頁である。最初に、複写機の通常の待機状態の操作表示部を図４に示す。  “機能”を選択（押す）と図５に示すように“機能”が黒文字から白ぬけ文字に反転し、“白黒反転”“鏡像”“分割”“マージン”“枠消し”“集約”の各機能が表示される。“集約”選択部を押すと図６に示すように５通りの“集約モード”選択部が表示される。図６で４ｉｎ１モードを選択すると図７に示すように分割画像の境界表示形態を問う表示がなされる。“縁無し”  “点線”  “実線”“トンボ”の４通りが選択できるようになっている。何れかの境界表示形態を選択した後、図８において原稿の表示形態に合わせて、両面原稿と片面原稿の何れかを選択する。“片面原稿”を選択すると図９が表示され両面コピー、片面コピー、原稿の向き等を組み合わせた４通りの内から１つを選択する。図１０の表示に切り替わり４ｉｎ１モードでプリントボタンを押す旨を促す表示がなされる。プリントボタンを押すと図１１に切り替わり原稿を搬送し画像を読込開始したことが表示される。読込が進むと共に枚数表示が繰り上がり１４頁全てが読み込まれると図１２の表示となる。用紙４枚中に集約画像枠が４×４＝１６設定できるのに原稿が１４枚しかないので図１３において４枚目の最終に２画像分の空白が生ずる旨を警告表示し、集約モードを変更するか否かを使用者に問う表示がなされる。“変更する”を選択すると反転白抜け表示に切り替わった後、図１９において初期設定、変更１、変更２、変更３の各コースが表示される。各コースは選択可能であり、表中の“変更１”“変更２”“変更３”の何れかを押すことによって、選択された設定条件が白黒反転して表示される。“変更１”は１頁目を４ｉｎ１から２ｉｎ１に変更することによって、４頁目の余白をなくすことができる。“変更２”は中間頁つまり２、３頁の何れかを４ｉｎ１から２ｉｎ１に変更することによって、４頁目の余白をなくすことができる。“変更３”は最終の４頁目を４ｉｎ１から２ｉｎ１に変更することによって、４頁目の余白をなくすことができる。フローチャート３においては“変更１”を選択するので“変更１”の集約モードが反転白抜け表示に切り替わる。図２０において１頁目を２ｉｎ１に変更した旨を確認して、プリントボタンを押すことによって、１頁が２ｉｎ１、２〜４頁が４ｉｎ１の集約モードで実際のコピーが開始される。
【００３６】
【発明の効果】
以上述べたように、本発明によれば集約コピー設定時に原稿全体の枚数が集約モードで設定した用紙シート１枚当たりの原稿画像数で割り切れずに最終用紙に余白部分が発生する場合であっても、用紙束全体の内の何れかの頁の集約モードを変更することが可能であるので最終頁に空白を発生させず使用者に不快感、違和感を与えることが回避できるようになった。
【図面の簡単な説明】
【図１】この発明の第１の実施形態にかかる複写機１００の外観構成を示す斜視図である。
【図２】この発明の第１の実施形態にかかる複写機１００の内部構成を示す正面図である。
【図３】この発明の第１の実施形態にかかる複写機１００の右側面からみた原稿搬送部の開平状態を示す模式図である。
【図４】待機状態における操作パネルの画面例である。
【図５】“白黒反転”“鏡像”“分割”“マージン”“枠消し”“集約”の各機能の選択画面が表示された操作パネルの画面例である。
【図６】“集約”機能が選択され、５通りの“集約モード”の選択画面が表示された操作パネルの画面例である。
【図７】４ｉｎ１モードにおいて、分割画像の境界の選択画面が表示された操作パネルの画面例である。
【図８】４ｉｎ１モードにおいて、両面原稿と片面原稿の選択画面が表示された操作パネルの画面例である。
【図９】４ｉｎ１モードにおいて、両面コピー、片面コピー、原稿の向き等を組み合わせた４通りの内から１つを選択する選択画面が表示された操作パネルの画面例である。
【図１０】４ｉｎ１モードでプリントボタンを押す旨を促す表示がなされる操作パネルの画面例である。
【図１１】４ｉｎ１モードで原稿を搬送し画像を読込開始したことを表示する操作パネルの画面例である。
【図１２】４ｉｎ１モードで原稿が全頁読み込まれたことを表示する操作パネルの画面例である。
【図１３】４ｉｎ１モードで最終の用紙頁において２画像分の空白が生ずる旨を警告し集約モードの変更を問う表示がなされる操作パネルの画面例である。
【図１４】中間頁において４ｉｎ１モードを２ｉｎ１モードに変更する選択を行なう操作パネルの画面例である。
【図１５】中間頁の内、２ｉｎ１モードに変更する頁を入力する操作パネルの画面例である。
【図１６】２頁目を２ｉｎ１モードに変更したことを確認した上でプリントボタンをＯＮすることを促す操作パネルの画面例である。
【図１７】最終頁において４ｉｎ１モードを２ｉｎ１モードに変更する選択を行なう操作パネルの画面例である。
【図１８】最終頁を２ｉｎ１モードに変更したことを確認した上でプリントボタンをＯＮすることを促す操作パネルの画面例である
【図１９】１頁目において４ｉｎ１モードを２ｉｎ１モードに変更する選択を行なう操作パネルの画面例である。
【図２０】１頁目を２ｉｎ１モードに変更したことを確認した上でプリントボタンをＯＮすることを促す操作パネルの画面例である
【図２１】第１の集約モードの設定に対して最終頁に余白が出た場合に、中間頁において第２の集約モードに変更して最終頁の余白を解消する場合のフローチャートである。
【図２２】第１の集約モードの設定に対して最終頁に余白が出た場合に、最終頁において第２の集約モードに変更して最終頁の余白を解消する場合のフローチャートである。
【図２３】第１の集約モードの設定に対して最終頁に余白が出た場合に、１枚目において第２の集約モードに変更して最終頁の余白を解消する場合のフローチャートである。
【図２４】本発明の制御信号のやり取りを示すブロック図である。
【符号の説明】
１          上シートトレイ
２          下シートトレイ
６ａ        ばね部材
６ｂ        原稿押さえ部材
９          ヒンジ部
１１        本体ハウジング
１１Ｕ      上ハウジング
１１Ｃ      連結ハウジング
１１Ｄ      下ハウジング
１２        シート材スタック空間部
１３        走査パネル
１４        原稿搬送部
１４ａ      原稿給紙トレイ
１４ｂ      原稿搬送部本体
１４ｃ      原稿排紙トレイ
１４ｄ      原稿カバー
Ｄ          原稿搬送路
２１        原稿載置板
２２        ピックアップローラ
２３        搬送ローラ対
２３ａ      駆動ローラ
２３ｂ      分離ローラ
２４        レジストローラ対
２５        排出ローラ対
２６        白基準板
２６ａ      原稿押圧部
Ｒ          原稿読取り位置
Ｓ１        原稿検知センサ
Ｓ２        給紙センサ
Ｓ３        排出センサ
２７        露光ランプ
２８        反射板
２９        第一ミラー
３０        第二ミラー
３１        第三ミラー
３２        集光レンズ
３３        ＣＣＤ
３４        シートカセット
３４ａ      繰り出しコロ
３６        画像形成部
３７        定着装置
３８        感光体ドラム
３９        メインチャージャー
４０        レーザースキャニングユニット
４２        垂直搬送路
４３        搬送ローラ対
４４        水平搬送路
４５        搬送路
４６        分岐爪
６１        キー選択エリア
６２        “基本”選択キー
６３        “変倍”選択キー
６４        “機能”選択キー
６５        原稿濃度調整部
６８        プリントボタン
６９        ストップ／クリアボタン
７０        枚数設定ボタン
７１        用紙サイズ選択ボタン
７１ａ      主制御部
７２        走査表示部
７３        読取部
７４        書込み部
７５ａ      画像メモリコントローラ
７５ｂ      画像メモリ
７８        ＲＯＭ
７９        ＲＡＭ
【図１】
0003616578.tif 000002
【図２】
0003616578.tif 000003
【図３】
0003616578.tif 000004
【図４】
0003616578.tif 000005
【図５】
0003616578.tif 000006
【図６】
0003616578.tif 000007
【図７】
0003616578.tif 000008
【図８】
0003616578.tif 000009
【図９】
0003616578.tif 000010
【図１０】
0003616578.tif 000011
【図１１】
0003616578.tif 000012
【図１２】
0003616578.tif 000013
【図１３】
0003616578.tif 000014
【図１４】
0003616578.tif 000015
【図１５】
0003616578.tif 000016
【図１６】
0003616578.tif 000017
【図１７】
0003616578.tif 000018
【図１８】
0003616578.tif 000019
【図１９】
0003616578.tif 000020
【図２０】
0003616578.tif 000021
【図２１】
0003616578.tif 000022
【図２２】
0003616578.tif 000023
【図２３】
0003616578.tif 000024
【図２４】
0003616578.tif 000025